【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
動き評価（ＭＥ）および動き補償（ＦＳ＿ＭＣ＿Ｅ）を使用して符号化（ＳＵＢ，ＤＣＴ，Ｑ，ＱE-1，ＤＣＴE-1，ＥＣＯＤ，ＡＤＤＥ）されている符号化ピクチャデータ（ＯＥ）を形成する方法であって、
−時間的な予測モードにおいて目下のピクチャ（Ｃｕｒ）の目下のピクセルブックまたはマクロブロック（Ｂcur）を符号化する場合、事前に定められた規則に従い、関連する動き情報を前記目下のピクチャを含まない少なくとも２つの参照ピクチャ（Ｒ1，Ｒ2，Ｒ3）からの復元されたピクチャ情報を使用して評価（ＭＥ）するステップと、
−前記目下のピクセルブロックまたはマクロブロックに対して評価された動き情報および少なくとも１つの前記参照ピクチャからの対応するピクチャ情報を使用して、前記動き補償（ＦＳ＿ＭＣ＿Ｅ）を実施するステップとを有する、符号化ピクチャデータを形成する方法において、
−前記符号化ピクチャデータ（ＯＥ）において、前記目下のピクセルブロックまたはマクロブロック（Ｂcur）に関して、または前記目下のピクチャに関して、対応する符号化のタイプを表す動きプロセス情報を含ませ（ＭＵＸ）、デコーダにおける復号化に関して、前記事前に定められた規則に従い、デコーダによる動き評価（ＩＭＥ）が、時間的に前記目下のピクチャ（Ｃｕｒ）よりも前に位置する前記少なくとも２つの参照ピクチャ（Ｒ1，Ｒ2，Ｒ3）からの復元されたピクチャ情報を使用して実施されるべき場合には、前記目下のピクセルブロックまたはマクロブロック（Ｂcur）に関して、または前記目下のピクチャに関して、前記デコーダによる動き評価（ＩＭＥ）が実施されることをシグナリングする、モーションベクトルデータ（ＭＶ）ではなくモーションベクトルフラグデータ（ＩＭＶＦ）を前記符号化ピクチャデータに含ませることを特徴とする、符号化ピクチャデータを形成する方法。
【請求項２】
動き評価（ＭＥ）および動き補償（ＦＳ＿ＭＣ＿Ｅ）を使用して符号化（ＳＵＢ，ＤＣＴ，Ｑ，ＱE-1，ＤＣＴE-1，ＥＣＯＤ，ＡＤＤＥ）されている符号化ピクチャデータを形成する装置において、
−時間的な予測モードにおいて目下のピクチャ（Ｃｕｒ）の目下のピクセルブックまたはマクロブロック（Ｂcur）を符号化する場合、事前に定められた規則に従い、関連する動き情報を前記目下のピクチャを含まない少なくとも２つの参照ピクチャ（Ｒ1，Ｒ2，Ｒ3）からの復元されたピクチャ情報を使用して評価する動き評価手段（ＭＥ）と、
−前記目下のピクセルブロックまたはマクロブロックに対して評価された動き情報を適用し、少なくとも１つの前記参照ピクチャからの対応するピクチャ情報を使用する動き補償手段（ＦＳ＿ＭＣ＿Ｅ）とを有する、符号化ピクチャデータを形成する装置において、
−前記符号化ピクチャデータ（ＯＥ）において、前記目下のピクセルブロックまたはマクロブロック（Ｂcur）に関して、または前記目下のピクチャに関して、対応する符号化のタイプを表す動きプロセス情報を含ませることに適した手段（ＭＵＸ）を有し、デコーダにおける復号化に関して、前記事前に定められた規則に従い、デコーダによる動き評価（ＩＭＥ）が、時間的に前記目下のピクチャ（Ｃｕｒ）よりも前に位置する前記少なくとも２つの参照ピクチャ（Ｒ1，Ｒ2，Ｒ3）からの復元されたピクチャ情報を使用して実施されるべき場合には、前記目下のピクセルブロックまたはマクロブロック（Ｂcur）に関して、または前記目下のピクチャに関して、前記デコーダによる動き評価（ＩＭＥ）が実施されることをシグナリングする、モーションベクトルデータ（ＭＶ）ではなくモーションベクトルフラグデータ（ＩＭＶＦ）を前記符号化ピクチャデータに含ませることを特徴とする、符号化ピクチャデータを形成する装置。
【請求項３】
動き評価（ＭＥ）および動き補償（ＦＳ＿ＭＣ＿Ｅ）を使用して符号化（ＳＵＢ，ＤＣＴ，Ｑ，ＱE-1，ＤＣＴE-1，ＥＣＯＤ，ＡＤＤＥ）された符号化ピクチャデータ（ＩＤ）を復号化する方法であって、
−時間的な予測モードにおいて目下のピクチャ（Ｃｕｒ）の目下のピクセルブックまたはマクロブロック（Ｂcur）を符号化する場合、事前に定められた規則に従い、前記目下のピクチャ（Ｃｕｒ）を含まず、且つ時間的に前記目下のピクチャよりも前に位置する少なくとも２つの参照ピクチャ（Ｒ1，Ｒ2，Ｒ3）からの復元されたピクチャ情報を使用して、関連する動き情報を評価するステップと、
−前記符号化ピクチャデータ（ＩＤ）において、前記目下のピクセルブロックまたはマクロブロック（Ｂcur）に関して、または前記目下のピクチャに関して、対応する符号化のタイプを表す動きプロセス情報が含ませられ、前記符号化ピクチャデータの復号化に関して、デコーダによる動き評価（ＩＭＥ）が前記事前に定められた規則に従い実施されるべき場合には、前記目下のピクセルブロックまたはマクロブロック（Ｂcur）に関して、または前記目下のピクチャに関して、前記デコーダによる動き評価（ＩＭＥ）が実施されることをシグナリングする、モーションベクトルデータ（ＭＶ）ではなくモーションベクトルフラグデータ（ＩＭＶＦ）が前記符号化ピクチャデータに含ませられ、
−目下のピクセルブロックまたはマクロブロック（Ｂcur）に関して、または目下のピクチャに関して、時間的な予測モードにおいて符号化された前記符号化ピクチャデータから前記モーションベクトルフラグデータ（ＩＭＶＦ）を抽出する（ＤＥＭＵＸ）ステップと、
−目下のピクセルブロックまたはマクロブロック（Ｂcur）に関して、または目下のピクチャに関して前記デコーダによる動き評価（ＩＭＥ）が実施されることを前記モーションベクトルフラグデータ（ＩＭＶＦ）がシグナリングする場合には、前記目下のピクセルブロックまたはマクロブロック（Ｂcur）に関して、前記事前に定められた規則に従い、前記目下のピクチャ（Ｃｕｒ）を含まず、且つ時間的に前記目下のピクチャよりも前に位置する少なくとも２つの参照ピクチャ（Ｒ1，Ｒ2，Ｒ3）からの復元されたピクチャ情報を使用して、関連するモーションベクトル情報を評価するステップと、
−前記目下のピクセルブロックまたはマクロブロックに対して、前記評価されたモーションベクトル情報および少なくとも１つの前記参照ピクチャからの対応するピクチャ情報を使用して動き補償（ＦＳ＿ＭＣ＿Ｅ）を実施するステップとを有することを特徴とする、符号化ピクチャデータ（ＩＤ）を復号化する方法。
【請求項４】
動き評価（ＭＥ）および動き補償（ＦＳ＿ＭＣ＿Ｅ）を使用して符号化（ＳＵＢ，ＤＣＴ，Ｑ，ＱE-1，ＤＣＴE-1，ＥＣＯＤ，ＡＤＤＥ）された符号化ピクチャデータ（ＩＤ）を復号化する装置であって、
−時間的な予測モードにおいて目下のピクチャ（Ｃｕｒ）の目下のピクセルブックまたはマクロブロック（Ｂcur）が符号化された場合、事前に定められた規則に従い、前記目下のピクチャ（Ｃｕｒ）を含まず、且つ時間的に前記目下のピクチャよりも前に位置する少なくとも２つの参照ピクチャ（Ｒ1，Ｒ2，Ｒ3）からの復元されたピクチャ情報を使用して、関連する動き情報が評価（ＭＥ）され、
−前記符号化ピクチャデータ（ＩＤ）において、前記目下のピクセルブロックまたはマクロブロック（Ｂcur）に関して、または前記目下のピクチャに関して、対応する符号化のタイプを表す動きプロセス情報が含ませられ、前記符号化ピクチャデータの復号化に関して、デコーダによる動き評価（ＩＭＥ）が前記事前に定められた規則に従い実施されるべき場合には、前記目下のピクセルブロックまたはマクロブロック（Ｂcur）に関して、または前記目下のピクチャに関して、前記デコーダによる動き評価（ＩＭＥ）が実施されることをシグナリングする、モーションベクトルデータ（ＭＶ）ではなくモーションベクトルフラグデータ（ＩＭＶＦ）が前記符号化ピクチャデータに含ませられ、
−目下のピクセルブロックまたはマクロブロック（Ｂcur）に関して、または目下のピクチャに関して、時間的な予測モードにおいて符号化された前記符号化ピクチャデータから前記モーションベクトルフラグデータ（ＩＭＶＦ）を抽出する手段（ＤＥＭＵＸ）と、
−目下のピクセルブロックまたはマクロブロック（Ｂcur）に関して、または目下のピクチャに関して前記デコーダによる動き評価（ＩＭＥ）が実施されることを前記モーションベクトルフラグデータ（ＩＭＶＦ）がシグナリングする場合には、前記目下のピクセルブロックまたはマクロブロック（Ｂcur）に関して、前記事前に定められた規則に従い、前記目下のピクチャ（Ｃｕｒ）を含まず、且つ時間的に前記目下のピクチャよりも前に位置する少なくとも２つの参照ピクチャ（Ｒ1，Ｒ2，Ｒ3）からの復元されたピクチャ情報を使用して、関連するモーションベクトル情報を評価する手段（ＩＭＥ）と、
−前記目下のピクセルブロックまたはマクロブロックに対して評価された前記モーションベクトル情報を適用し、少なくとも１つの前記参照ピクチャからの対応するピクチャ情報を使用する動き補償手段（ＦＳ＿ＭＣ＿Ｅ）とを有することを特徴とする、符号化ピクチャデータ（ＩＤ）を復号化する装置。
【請求項５】
２つの参照ピクチャ（Ｒ1，Ｒ2）を使用し、該２つの参照ピクチャ（Ｒ1，Ｒ2）は両方とも時間的に前記目下のピクチャ（Ｃｕｒ）よりも前に位置するか、一方は時間的に前記目下のピクチャよりも前に位置し、他方は時間的に前記目下のピクチャよりも後に位置する、請求項１から４までのいずれか１項記載の方法または装置。
【請求項６】
前記目下のピクセルブロックまたはマクロブロック（Ｂcur）に関するモーションベクトルに関連して、同一の最も低い費用関数値を有する２つのベストマッチブロックが前記参照ピクチャ（Ｒ1，Ｒ2，Ｒ3）において発見され、且つ関連する参照ピクチャが前記目下のピクチャに対して異なる時間的な距離を有する場合には、前記関連する参照ピクチャが時間的に前記目下のピクチャ（Ｃｕｒ）の最も近くに位置するベストマッチブロックのうちの一方を前記目下のピクセルブロックまたはマクロブロックの予測のために選択し、
関連する参照ピクチャが前記目下のピクチャに対して時間的に同一の距離を有する場合には、２つのベストマッチブロックのピクセル毎の平均を前記目下のピクセルブロックまたはマクロブロックの予測のために選択する、請求項１から５までのいずれか１項記載の方法または装置。
【請求項７】
２つより多くの参照ピクチャ（Ｒ1，Ｒ2，Ｒ3）をモーションベクトル情報の評価のために使用し、前記目下のピクセルブロックまたはマクロブロック（Ｂcur）に関連するモーションベクトルを前記参照ピクチャの異なる組においてサーチする、請求項１から６までのいずれか１項記載の方法または装置。
【請求項８】
前記２つより多くの参照ピクチャ（Ｒ1，Ｒ2，Ｒ3）を非線形タイプの動きを有するモーションベクトル情報を評価するために使用する、請求項７記載の方法または装置。
【請求項９】
前記動き評価（ＭＥ）はピクセル毎のモーションベクトル情報を提供する反復的な動き評価である、請求項１から８までのいずれか１項記載の方法または装置。
【請求項１０】
請求項１および５から９までのいずれか１項記載の方法を使用して符号化されている符号化ピクチャデータを包含することを特徴とする、ビットストリーム。
【請求項１１】
請求項１、５から９までのいずれか１項記載の方法を使用して符号化されている符号化ピクチャデータを包含するビットストリームが記録または記憶されていることを特徴とする、記憶媒体。
【請求項１２】
請求項１、５から９までのいずれか１項記載の方法を使用して符号化されたピクチャのシーケンスを表す信号において、
前記シーケンスにおいて、目下のピクチャが後続のピクチャに関する参照ピクチャとして交番的に使用可能または使用不能であることを特徴とする、信号。